(57)【要約】【課題】  木造建物の地震等による揺れを軽減できるとともに、施工性が良く構造が簡単でコスト高とならない木造建物用免震アンカーボルトおよび当該免震アンカーボルトを利用した免震装置を提供すること。【解決手段】  免震アンカーボルト１は、基礎３０に埋め込まれる埋め込み部２と、先端部分が土台４０より突出して締付ナット５と螺合する雄ねじ部３とを有し、埋め込み部２と雄ねじ部３との中間部分に、地震動のエネルギを吸収可能なスプリング部４を一体的に設けた構成である。免震装置１０は、免震アンカーボルト１と、当該免震アンカーボルト１のスプリング部４を被覆し当該スプリング部４と共に弾性変形して地震動のエネルギを吸収可能な弾性体１１と、を備えたものである。【選択図】図１
2006112164.tif 000002
【特許請求の範囲】
【請求項１】
基礎に埋め込まれる埋め込み部と、先端部分が土台より突出
して締付ナットと螺合する雄ねじ部とを有し、
埋め込み部と雄ねじ部との中間部分に、基礎と土台との間に形成した隙間内で
弾性変形して地震動のエネルギを吸収可能なスプリング部を一体的に設けたこと
を特徴とする免震アンカーボルト。
【請求項２】
請求項１記載の免震アンカーボルトと、当該免震アンカーボ
ルトのスプリング部を被覆しかつ基礎と土台との間の隙間内で当該スプリング部
と共に弾性変形して地震動のエネルギを吸収可能な弾性体と、を備えたことを特
徴とする免震アンカーボルトを利用した免震装置。
【請求項３】
前記弾性体が球または楕円体である請求項２記載の免震アン
カーボルトを利用した免震装置。
【請求項４】
前記弾性部材と接触する前記基礎部分に、縦断面形状が円弧
形状の凹みを設けた請求項３記載の免震アンカーボルトを利用した免震装置。
【請求項５】
前記弾性体と対応する前記土台部分に、前記免震アンカーボ
ルトで貫かれた補助弾性体が設けられており、
この補助弾性体は、その底面部には縦断面円弧形状の凹み部が形成され当該凹
み部が前記弾性体と接触しつつ弾性変形して地震動のエネルギを吸収可能に構成
された請求項３又は４記載の免震アンカーボルトを利用した免震装置。
【請求項６】
前記土台部分と前記補助弾性体との間に土台高さ調節用のス
ペーサを介装可能に構成された請求項５記載の免震アンカーボルトを利用した免
震装置。
【請求項７】
前記アンカーボルトと螺合する前記締付ナットの底部を丸面
取りした請求項２から６までのいずれか１項に記載の免震アンカーボルトを利用
した免震装置。
【発明の詳細な説明】
【技術分野】
【０００１】
本発明は、基礎上に建てられる木造建物が地震等によって揺れるのを軽減でき
る木造建物用免震アンカーボルトおよび当該免震アンカーボルトを利用した免震
装置に関する。
【背景技術】
【０００２】
日本は地震の多い国であり、従来より各種の免震装置が開発されている。免震
装置としては、（イ）基礎と建物の土台との間に積層ゴムを介装して横揺れを抑
える積層ゴム利用方式（例えば、非特許文献１、非特許文献２参照。）、（ロ）
基礎と土台との間に球を転動自在に介装して横揺れを抑える転がり支承方式（例
えば、特許文献１参照。）、（ハ）基礎上に土台を滑り可能に支持して横揺れを
抑える滑り支承方式（例えば、特許文献２参照。）などがある。
【特許文献１】特開２００２−７０３５８号公報（第３−５頁、第１図）
【特許文献２】特開平１０−１８４０９２号公報（第４−６頁、第１図、                    第２図）
【非特許文献１】社団法人日本免震構造協会編「はじめての免震建築」                      オーム社出版、平成１２年９月１日、ｐ．１４−１５
【非特許文献２】太田外氣晴・江守克彦・河西良幸著「建築基礎  耐震・                      振動・制御」共立出版、２００１年１２月２５日、ｐ．                      ２５８−２６４
【発明の開示】
【発明が解決しようとする課題】
【０００３】
ところで、上記した従来免震装置において、（イ）の積層ゴム利用方式は、主
に高層のビルディング等の大重量の建物に使用することを目的として開発された
もので、一般的には軽量である木造建物に適用した場合にも十分な免震効果が得
られるとはいい難い。
【０００４】
また、上記（ロ）の転がり支承方式免震装置を木造建物に設けた場合には、建
物は基礎によって横方向移動を十分に規制されなくなるので、例えば強い横風が
建物に当たった場合に横方向に揺れ、居住者に不快感や不安感などを与えるおそ
がある。この点は、上記（ハ）の滑り支承方式免震装置を木造建物に設けた場
合も同様である。
【０００５】
また、いずれの方式も、部品点数が多くなって構造が複雑化しコストの面で負
担が大きくなりすぎるという欠点を有する。
【０００６】
また、上記各方式の免震装置を採用した場合、その施工が従来の木造建物の施
工方法（すなわち、基礎の上に建物の土台をアンカーボルトで止めた後に柱等を
構築してゆく方法）とは大きく相違するため、作業者が十分に追従できず、施工
期間の長期化や施工コストの過大化を招くおそれが大である。
【０００７】
以上のような理由で、木造建物の免震化はほとんど進んでいないのが現状であ
るが、近い将来に大地震が起こる可能性が高いといわれている現今では、一般住
宅の大部分をしめる木造建物の免震化は急務である。
【０００８】
本発明の目的は、木造建物の地震等による揺れを軽減できるとともに、施工性
が良く構造が簡単でコスト高とならない木造建物用免震アンカーボルトおよび当
該免震アンカーボルトを利用した免震装置を提供することにある。
【課題を解決するための手段】
【０００９】
上記目的を達成するために、請求項１の発明は、基礎に埋め込まれる埋め込み
部と、先端部分が土台より突出して締付ナットと螺合する雄ねじ部とを有し、埋
め込み部と雄ねじ部との中間部分に、基礎と土台との間に形成した隙間内で弾性
変形して地震動のエネルギを吸収可能なスプリング部を一体的に設けたことを特
徴とする木造建物用免震アンカーボルトである。
【００１０】
上記請求項１の発明の場合、型枠にコンクリートを打設して基礎を構築する際
に免震アンカーボルトの埋め込み部を当該基礎中に埋め込み、その後、当該基礎
上に土台を載せ、しかる後に当該土台より突出したアンカーボルトの雄ねじ部に
ナットを螺合させて締め付ける。これにより、免震アンカーボルトと一体に設け
られたスプリング部が地震動のエネルギを吸収する。
【００１１】
このように、免震アンカーボルトは、土台を基礎に固定する役目を果たす他、
木造建物の揺れを軽減する免震機能も有する。そのため、従来の施工方法（基礎
の上に建物の土台をアンカーボルトで止めた後に柱等を構築してゆく方法）と同
じ方法で建物を施工できる。そのため、施工性が良く構造が簡単でコスト高とな
らない。
【００１２】
また、免震アンカーボルトのスプリング部の有する弾性復元力によって木造建
物が上下方向および水平方向に揺れるのを軽減させることができる。また、木造
建物は免震アンカーボルトのスプリング部によって横方向移動が規制されるので
、強い横風が建物に当たっても横方向に揺れることはほとんどなく、居住者に不
快感や不安感などを与えない。
【００１３】
請求項２の発明は、請求項１記載の免震アンカーボルトと、当該免震アンカー
ボルトのスプリング部を被覆しかつ基礎と土台との間の隙間内で当該スプリング
部と共に弾性変形して地震動のエネルギを吸収可能な弾性体と、を備えたことを
特徴とする免震装置である。
【００１４】
上記請求項２の発明の場合、請求項１の発明の場合と同様な作用・効果を奏し
得る他、弾性体がスプリング部と共に弾性変形して地震動のエネルギを吸収する
ので、木造建物の地震等による揺れを一段と効果的に軽減できる。
【００１５】
請求項３の発明は、前記弾性体が球または楕円体である免震装置である。
【００１６】
上記請求項３の発明の場合、請求項２の発明の場合と同様な作用・効果を奏し
得る他、地震動が生じた場合に、弾性体と基礎との間および弾性体と土台との間
に作用する摩擦力が少なくなり、その結果免震アンカーボルトのスプリング部の
弾性変形が一段と円滑に行われる。これにより、地震動のエネルギを一層効果的
に吸収できる。
【００１７】
請求項４の発明は、前記弾性部材と接触する前記基礎部分に、縦断面形状が円
弧形状の凹みを設けた免震装置である。
【００１８】
上記請求項４の発明の場合、請求項３の発明の場合と同様な作用・効果を奏し
得る他、免震アンカーボルトのスプリング部の弾性変形がより一層円滑に行われ
る。これにより、地震動のエネルギをより一段と効果的に吸収できる。
【００１９】
請求項５の発明は、前記弾性体と対応する前記土台部分に、前記免震アンカー
ボルトで貫かれた補助弾性体が設けられており、この補助弾性体は、その底面部
には縦断面円弧形状の凹み部が形成され当該凹み部が前記弾性体と接触しつつ弾
性変形して地震動のエネルギを吸収可能に構成された免震装置である。
【００２０】
上記請求項５の発明の場合、請求項３又は４の発明の場合と同様な作用・効果
を奏し得る他、免震アンカーボルトのスプリング部の弾性変形がより一層円滑に
行われる。これにより、地震動のエネルギをより一段と効果的に吸収できる。
【００２１】
請求項６の発明は、前記土台部分と前記補助弾性体との間に土台高さ調節用の
スペーサを介装可能に構成された免震装置である。
【００２２】
上記請求項６の発明の場合、請求項５の発明の場合と同様な作用・効果を奏し
得る他、土台の水平レベル調整を一段と簡単に行える。
【００２３】
請求項７の発明は、前記アンカーボルトと螺合する前記締付ナットの底部を丸
面取りした免震装置である。
【００２４】
上記請求項７の発明の場合、請求項２から６までのいずれか１項の発明の場合
と同様な作用・効果を奏し得る他、免震アンカーボルトのスプリング部の弾性変
形がより一層円滑に行われる。これにより、地震動のエネルギをより一段と効果
的に吸収できる。
【発明の効果】
【００２５】
請求項１の発明によれば、埋め込み部と雄ねじ部との中間部分にスプリング部
を一体的に設けたので、従来の木造建物の施工方法（基礎の上に建物の土台をア
ンカーボルトで止めた後に柱等を構築してゆく方法）と同じ方法で木造建物を施
工できる。そのため、施工性が良く構造が簡単でコスト高とならない。また、上
記スプリング部の有する弾性復元力によって木造建物が地震等によって揺れるを
軽減できるとともに、強い横風が木造建物に当たっても横方向に揺れるのを防止
できる。
【００２６】
請求項２の発明によれば、請求項１記載の免震アンカーボルトと、当該ボルト
のスプリング部を被覆する弾性体をとを備えているので、請求項１の発明の場合
と同様な効果を奏し得る他、弾性体がスプリング部と共に弾性変形して地震動の
エネルギを吸収するので、一段と効果的に木造建物の揺れを軽減できる。
【００２７】
請求項３の発明によれば、弾性体が球または楕円体であるので、請求項２の発
明の場合と同様な効果を奏し得る他、免震アンカーボルトのスプリング部の弾性
変形が一段と円滑に行われる。これにより、地震動のエネルギを一層効果的に吸
収できる。
【００２８】
請求項４の発明によれば、弾性部材と接触する基礎部分に凹みを設けたので、
請求項２又は３の発明の場合と同様な効果を奏し得る他、免震アンカーボルトの
スプリング部の弾性変形がより一層円滑に行われる。これにより、地震動のエネ
ルギをより一段と効果的に吸収できる。
【００２９】
請求項５の発明によれば、弾性体と対応する土台部分に、当該弾性体と接触す
る凹み部を有する補助弾性体が設けられているので、請求項３又は４の発明の場
合と同様な効果を奏し得る他、免震アンカーボルトのスプリング部の弾性変形が
より一層円滑に行われる。これにより、地震動のエネルギをより一段と効果的に
吸収できる。
【００３０】
請求項６の発明によれば、土台部分と補助弾性体との間に土台高さ調節用のス
ペーサを介装可能に構成されているので、請求項５の発明の場合と同様な効果を
奏し得る他、土台の水平レベル調整を一段と簡単に行える。
【００３１】
請求項７の発明によれば、アンカーボルトと螺合する締付ナットの底部を丸面
取りしてあるので、請求項２から６までのいずれか１項の発明の場合と同様な効
果を奏し得る他、免震アンカーボルトのスプリング部の弾性変形がより一層円滑
に行われる。これにより、地震動のエネルギをより一段と効果的に吸収できる。
【発明を実施するための最良の形態】
【００３２】
以下、本発明の実施形態を図面を参照して説明する。
【００３３】
（第１の実施形態）  本発明に係る木造建物用免震アンカーボルト１は、図３
に示すように、基礎３０に埋め込まれる埋め込み部２と、先端部分が土台４０よ
り突出して締付ナット５と螺合する雄ねじ部３とを有しており、埋め込み部２と
雄ねじ部３との中間部分に、基礎３０と土台４０との間に形成した隙間Ｇ内で弾
性変形して地震動のエネルギを吸収可能なスプリング部４を一体的に設けた構成
とされている。
【００３４】
ここで、免震アンカーボルト１は、従来のアンカーボルトと同様に土台の継ぎ
目付近や柱の近くに配置されるように設けられる。また、基礎（布基礎、べた基
礎等）３０は、コンクリートを打設して構築されている。土台４０は、耐久性の
ある木材が使用されており、アンカーボルト１と対応する部分には通し穴４２が
開けられている。
【００３５】
上記免震アンカーボルト１の特徴部であるスプリング部４は、コイルばね形状
とされており、縮み量が大きくなるように、端部（上端部，下端部）から中央部
に行くにつれてコイル直径が大きくなるように形成されている。このように、免
震アンカーボルトのスプリング部を形成することにより、上下方向の総弾性変形
量を大きくすることができるとともに、地震等によって横荷重が作用して首振り
変形する場合（埋め込み部２よりも上の部分が撓み変形する場合）にも、基礎３
０および土台４０との干渉が少なく、横方向（水平方向）の弾性変形量を大きく
できる。
【００３６】
なお、免震アンカーボルト１のスプリング部４が介在する基礎３０と土台４０
との間の隙間Ｇは、図３に示すように当該スプリング部４によって形成・維持し
てもよいし、図４に示すように介物７を入れて形成・維持してもよい。なお、図
３中２点鎖線で示す座金９を、上記スプリング部４と土台４０の凹部４１との間
に介装してもよい。介物７を弾性に富んだ部材で形成すれば、一段と効果的に上
下方向の揺れを軽減できる。
【００３７】
図３に示す場合では免震アンカーボルト１のスプリング部４が基礎パッキンの
役目を果たし、図３に示す場合では当該スプリング部４と介物７とが協働して基
礎パッキンの役目を果たす。最近の木造建物（一般住宅等）では、床下換気を良
好に行えるように、基礎と土台との間に基礎パッキンを介装するのが一般的であ
るが、本発明によれば新に基礎パッキンの介装作業を行わなくて済み、この点か
らも施工性に優れているとともに、構造の一層の簡単化およびコスト低減が図れ
る。
【００３８】
この実施形態では、免震アンカーボルト１のスプリング部４を長く形成して大
きな弾性復元力を発揮できるように、基礎３０上面側および土台４０底面側を凹
ませてある〔凹部（３１，４１）〕。
【００３９】
上記実施形態の場合、型枠にコンクリートを打設して基礎３０を構築する際に
免震アンカーボルト１の埋め込み部２を当該基礎３０中に埋め込み、その後、当
該基礎３０上に土台４０を載せ、しかる後に当該土台４０より突出したアンカー
ボルト１の雄ねじ部３に締付ナット５を螺合させて締め付ける。これにより、免
震アンカーボルト１と一体に形成されたスプリング部４が地震動のエネルギを吸
収する。
【００４０】
このように、免震アンカーボルト１は、土台３０を基礎４０に固定する役目を
果たす他、木造建物の揺れを軽減する免震機能も有する。そのため、従来の施工
方法（基礎の上に建物の土台をアンカーボルトで止めた後に柱等を構築してゆく
方法）と同じ方法で建物を施工できる。そのため、施工性が良く構造が簡単でコ
スト高とならない。
【００４１】
また、免震アンカーボルト１のスプリング部４の有する弾性復元力によって木
造建物が上下方向および水平方向に揺れるのを軽減させることができる。また、
木造建物は免震アンカーボルト１のスプリング部４によって横方向移動が規制さ
れるので、強い横風が建物に当たっても横方向に揺れることはほとんどなく、居
住者に不快感や不安感などを与えない。
【００４２】
（第２の実施形態）  第２の実施形態は、図１及び図２に示される。第２の実
施形態に係る免震装置１０は、第１の実施形態で述べた免震アンカーボルト１と
【００４３】
、当該免震アンカーボルト１のスプリング部４を被覆しかつ基礎３０と土台４０
との間の隙間Ｇ内で当該スプリング部４と共に弾性変形して地震動のエネルギを
吸収可能な弾性体１１と、を備えた構成とされている。
【００４４】
この実施形態では、上記弾性体１１は球形状とされている。この弾性体１１は
、弾性に富んだ合成樹脂を素材とし、注型成形法等を用いて免震アンカーボルト
１のスプリング部４を完全に被覆するように形成されている。
【００４５】
また、弾性体１１と接触する基礎３０部分には、縦断面形状が円弧形状の凹み
（３６）が設けられている。具体的には、施工現場に、内側に上記凹み３６が形
【００４６】
成されかつ中央部にアンカーボルト用の通し穴３７が形成された金属プレート３
５を必要個数だけ持参し、基礎コンクリート打設時に免震アンカーボルト１を埋
め込むとともに、上記金属プレート３５を基礎コンクリート上面に押し込んで上
記凹み（３６）を形成する。
【００４７】
また、球状の弾性体１１と対応する土台４０部分には、中央部が免震アンカー
ボルト１で貫かれた状態の補助弾性体１２が設けられている。この補助弾性体１
５は、その底面部に縦断面円弧形状の凹み部１４が形成され、当該凹み部１４を
弾性体１１と接触させつつ弾性変形して地震動のエネルギを吸収可能に構成され
ている。より具体的には、補助弾性体１２は、凹み部１４が形成された下側金属
プレー１５と、このプレート１５と所定距離だけ離れた平板状の上側金属プレー
ト１７と、両プレート（１５，１７）間に介在された弾性部材１６とからなり、
その中央部分には免震アンカーボルト通し用の穴１３が開けられている。
【００４８】
上記第２の実施形態の場合、第１の実施形態と同様な作用・効果を奏し得るほ
か、弾性体１１が免震アンカーボルト1のスプリング部４と共に弾性変形して地
震動のエネルギを吸収するので、木造建物の地震等による揺れを一段と効果的に
軽減できる。
【００４９】
また、免震アンカーボルト１のスプリング部４および弾性体１１が基礎パッキ
ンの役目を果たす。最近の木造建物（一般住宅等）では、床下換気を良好に行え
るように、基礎と土台との間に基礎パッキンを介装するのが一般的であるが、本
発明によれば新に基礎パッキンの介装作業を行わなくて済み、この点からも施工
性に優れているとともに、構造の一層の簡単化およびコスト低減が図れる。
【００５０】
また、弾性体１１は金属製の凹み部（３６，１４）を介して基礎３０および土
台４０と当接しているので、摩擦抵抗が少なくなり、その結果免震アンカーボル
ト１のスプリング部４の弾性変形が一段と円滑に行われる。これにより、地震動
のエネルギを一層効果的に吸収できる。また、構造強度を高めることができる。
【００５１】
また、図２中２点鎖線で示すように、土台４０部分と補助弾性体１２との間に
土台高さ調節用のスペーサ１９を介装して当該土台４０の水平レベルを簡単に調
節できる。
【００５２】
また、締付ナット５の底部６を丸面取りして丸味をつけてもよい。これにより
、免震アンカーボルト１のスプリング部４の首振り変形が一段と円滑に行われる
。これにより、地震動のエネルギを一層効果的に吸収できる。
【００５３】
なお、上記実施形態では、弾性体１１を球形状としたが、これに限定されるも
のではない。例えば楕円体や直方体形状にしてもよい。
【図面の簡単な説明】
【００５４】
【図１】本発明の実施形態を説明するための図である。
【図２】本発明に係る免新装置の構成を説明するための図である。
【図３】本発明に係る免震アンカーボルトを説明するための図である。
【図４】基礎と土台との間に介物を入れて隙間を形成した図である。
【符号の説明】
【００５５】
１  免震アンカーボルト
２  埋め込み部
３  雄ねじ部
４  スプリング部
５  締付ナット
６  底部
７  介物
１０  免新装置
１１  弾性体
１２  補助弾性体
１３  穴
１４  凹み部
１５  下側金属プレート
１６  弾性部材
１７  上側金属プレート
１９  スペーサ
３０  基礎
３１  凹部
３５  金属プレート
３６  凹み
３７  通し穴
４０  土台
４１  凹部
４２  通し穴
【図１】
2006112164.tif 000003
【図２】
2006112164.tif 000004
【図３】
2006112164.tif 000005
【図４】
2006112164.tif 000006